(57)【要約】      （修正有）【課題】発光基板から無線ユニットへの熱の影響を抑制できる照明器具を得る。【解決手段】照明器具１００は、ヒートシンク２１と、ヒートシンク２１に取り付けられ、ヒートシンク２１のフィンと反対側の面に発光素子２２ｃを有する発光基板２２ａと、発光素子２２ｃを点灯させる点灯装置と、発光基板２２ａを囲む内壁３１を有するリフレクタ３０と、リフレクタ３０のうち内壁３１の外側の部分に設けられ、無線信号を受信して該点灯装置に転送する無線ユニット２３と、を備える。【選択図】図４
2020194669.tif 000002
【特許請求の範囲】
【請求項１】
ヒートシンクと、
前記ヒートシンクに取り付けられ、前記ヒートシンクと反対側の面に発光素子を有する発光基板と、
前記発光素子を点灯させる点灯装置と、
前記発光基板を囲む内壁を有するリフレクタと、
前記リフレクタのうち前記内壁の外側の部分に設けられ、無線信号を受信して前記点灯装置に転送する無線ユニットと、
を備えることを特徴とする照明器具。
【請求項２】
前記リフレクタは、前記内壁の外側に設けられた外壁を有し、
前記無線ユニットは、前記内壁と前記外壁との間に設けられることを特徴とする請求項１に記載の照明器具。
【請求項３】
前記リフレクタには、前記内壁と前記外壁との間に凹部が形成され、
前記無線ユニットは、前記凹部に収納されることを特徴とする請求項２に記載の照明器具。
【請求項４】
前記内壁は、前記発光基板を前記ヒートシンクに固定することを特徴とする請求項１から３の何れか１項に記載の照明器具。
【請求項５】
前記内壁に取り付けられ、前記発光素子を覆う光源カバーを備えることを特徴とする請求項２または３に記載の照明器具。
【請求項６】
前記外壁に取り付けられ、前記光源カバーに対して前記発光基板と反対側に設けられた反射板を備えることを特徴とする請求項５に記載の照明器具。
【請求項７】
前記ヒートシンクには電線通過孔が形成され、
前記リフレクタには前記電線通過孔と重なるように開口部が形成され、
前記無線ユニットは、前記開口部と前記電線通過孔を通って前記点灯装置と接続される制御信号ケーブルを有することを特徴とする請求項１から６の何れか１項に記載の照明器具。
【請求項８】
前記リフレクタに形成された開口部から、前記リフレクタの前記無線ユニットが設けられた側に突出したコネクタを備え、
前記無線ユニットは、前記コネクタと接続される制御信号ケーブルを有することを特徴とする請求項１から６の何れか１項に記載の照明器具。
【発明の詳細な説明】
【技術分野】
【０００１】
本発明は、照明器具に関する。
【背景技術】
【０００２】
特許文献１には、照明器具が開示されている。この照明器具は、器具本体と、器具本体に固定される基板と、基板を器具本体に固定する保持部と、保持部を覆うカバーとを備えている。基板には、複数の半導体発光素子を備える発光部が設けられている。保持部は、半導体発光素子の周囲を囲うように器具本体の前方側に配置されている。そして、保持部の表面には、アンテナとして機能する導体パターンが設けられている。
【先行技術文献】
【特許文献】
【０００３】
【特許文献１】特開２０１６−０５８３６９号公報
【発明の概要】
【発明が解決しようとする課題】
【０００４】
特許文献１の照明器具は、基板を抑える保持部にアンテナパターンが実装されている。このため、基板からの熱が保持部に伝わり、アンテナが基板からの熱の影響を受ける可能性がある。従って、アンテナの性能が影響を受ける畏れがある。
【０００５】
本発明は、上述の課題を解決するためになされたもので、発光基板から無線ユニットへの熱の影響を抑制できる照明器具を得ることを目的とする。
【課題を解決するための手段】
【０００６】
本発明に係る照明器具は、ヒートシンクと、該ヒートシンクに取り付けられ、該ヒートシンクと反対側の面に発光素子を有する発光基板と、該発光素子を点灯させる点灯装置と、該発光基板を囲む内壁を有するリフレクタと、該リフレクタのうち該内壁の外側の部分に設けられ、無線信号を受信して該点灯装置に転送する無線ユニットと、を備える。
【発明の効果】
【０００７】
本発明に係る照明器具では、無線ユニットは、リフレクタのうち発光基板を囲む内壁の外側の部分に設けられる。このため、無線ユニットは発光基板と離れて設けられる。従って、発光基板から無線ユニットへの熱の影響を抑制できる。
【図面の簡単な説明】
【０００８】
【図１】実施の形態１に係る照明器具の斜視図である。
【図２】実施の形態１に係る照明器具の分解斜視図である。
【図３】実施の形態１に係る光源ユニットの構成を説明する図である。
【図４】実施の形態１に係る照明器具の断面図である。
【図５】実施の形態１に係る光源ユニットの平面図である。
【図６】実施の形態１の変形例に係る光源ユニットの平面図である。
【発明を実施するための形態】
【０００９】
本発明の実施の形態に係る照明器具について図面を参照して説明する。同じ又は対応する構成要素には同じ符号を付し、説明の繰り返しを省略する場合がある。
【００１０】
実施の形態１．
図１は、実施の形態１に係る照明器具１００の斜視図である。図２は、実施の形態１に係る照明器具１００の分解斜視図である。照明器具１００は、点灯装置１０、光源ユニット２０および反射板４０を備える。なお、本実施の形態では、便宜上、後述するヒートシンク２１に対して発光基板２２ａが設けられる側を下方向と称している。これは、照明器具１００が実際に取り付けられる方向を限定するものではない。
【００１１】
点灯装置１０は外部電源から電力を供給され、光源ユニット２０を点灯させる。点灯装置１０は光源ユニット２０の側面に取り付けられる。これに限らず、点灯装置１０は光源ユニット２０の底面に取り付けられても良い。ここで底面は、光源ユニット２０のうち、反射板４０と反対側の面である。また、点灯装置１０は配線を介して光源ユニット２０と離れて設けられても良い。
【００１２】
反射板４０は、光源ユニット２０の光出射方向に設けられる。反射板４０は、光源ユニット２０の下に設けられ、後述する発光素子２２ｃの配光を調整する。反射板４０は、発光素子２２ｃからの光を反射する。反射板４０は、光源ユニット２０に着脱自在に取り付けることが可能である。このため、ユーザは所望の配光特性に応じて、反射板４０を自由に選択できる。
【００１３】
照明器具１００は、例えば天井等の被取付部に埋め込まれる。このとき、点灯装置１０は被取付部に対して、光源ユニット２０の光出射方向と反対側に設けられる。点灯装置１０は例えば天井裏等に設けられる。
【００１４】
図３は、実施の形態１に係る光源ユニット２０の構成を説明する図である。光源ユニット２０は、ヒートシンク２１、光源モジュール２２、リフレクタ３０、無線ユニット２３、光源カバー２４および取付部材２５を備える。
【００１５】
ヒートシンク２１は、取付面２１ａを有する。取付面２１ａの下には光源モジュール２２が取り付けられる。取付面２１ａには電線通過孔２１ｂが形成される。電線通過孔２１ｂには、点灯装置１０から光源モジュール２２に電力を供給する配線が通る。また、ヒートシンク２１は、取付面２１ａの上にフィン２１ｃを有する。
【００１６】
光源モジュール２２は、後述するように複数の発光素子２２ｃを備える。発光素子２２ｃは例えばＬＥＤである。点灯装置１０は、光源モジュール２２に電力を供給し、発光素子２２ｃを点灯させる。ヒートシンク２１は、光源モジュール２２が発する熱を放熱する。
【００１７】
リフレクタ３０は、光源モジュール２２の下に配置される。リフレクタ３０は、ヒートシンク２１に光源モジュール２２を密着させるように固定する。
【００１８】
無線ユニット２３は、リフレクタ３０に収納される。無線ユニット２３は、外部コントローラからの無線信号を受信する。無線ユニット２３は、無線信号を点灯装置１０に転送する。
【００１９】
無線ユニット２３は、板状の基板２３ａと、信号線２３ｂと、図５に示されるアンテナ２３ｃとを有している。アンテナ２３ｃは、外部コントローラからの無線信号を受信する。アンテナ２３ｃは基板２３ａに実装されている。アンテナ２３ｃは、例えば基板２３ａ上に形成されたパターンアンテナである。パターンアンテナは、例えば銅箔で形成される。アンテナ２３ｃは、基板２３ａとは別の部品であっても良く、チップアンテナ等であっても良い。
【００２０】
信号線２３ｂは、アンテナ２３ｃで受信した無線信号に応じた制御信号を点灯装置１０に伝送する。無線ユニット２３は、無線信号に応じて制御信号を送信することで、点灯装置１０を制御する。信号線２３ｂは、点灯装置１０と接続される制御信号ケーブルである。
【００２１】
無線信号は、点灯装置１０に光源モジュール２２の点灯、消灯、調光率、色温度等を指示する信号である。点灯装置１０は、無線ユニット２３から無線信号に応じた制御信号を受信すると、制御信号に応じて例えば光源モジュール２２の点灯状態を制御する。無線信号は、点灯装置１０に対して、点灯装置１０についての情報の応答を求める信号であっても良い。点灯装置１０についての情報は、例えば点灯装置１０の識別情報、消費電力である。
【００２２】
光源カバー２４は、リフレクタ３０の下に設けられ、光源モジュール２２を覆う。光源カバー２４は発光素子２２ｃの光出射方向に設けられ、発光素子２２ｃを覆う。光源カバー２４は、発光素子２２ｃからの光を透過させる。光源カバー２４は、発光素子２２ｃからの光を拡散させる拡散板であっても良い。
【００２３】
リフレクタ３０は、取付部材２５でヒートシンク２１に取り付けられる。取付部材２５は例えばネジである。
【００２４】
図４は、実施の形態１に係る照明器具１００の断面図である。光源モジュール２２は、発光基板２２ａおよびソケット２２ｂを有する。発光基板２２ａは、ヒートシンク２１と反対側の面に複数の発光素子２２ｃを有する。発光基板２２ａに設けられる発光素子２２ｃは１つ以上であれば良い。
【００２５】
ソケット２２ｂは、ヒートシンク２１の取付面２１ａに設けられた上部分と、上部分の下に設けられた下部分とを有する。発光基板２２ａは、ソケット２２ｂの上部分と下部分とに挟まれて保持される。ソケット２２ｂの下部分は、複数の発光素子２２ｃを囲む。発光基板２２ａは、ソケット２２ｂに保持された状態で、ヒートシンク２１に取り付けられる。ソケット２２ｂは、発光基板２２ａをヒートシンク２１の取付面２１ａに固定している。
【００２６】
リフレクタ３０は、取付面２１ａの下に設けられる。リフレクタ３０は、発光基板２２ａおよびソケット２２ｂを囲む。リフレクタ３０は、内壁３１と外壁３２を有する。内壁３１は、発光基板２２ａおよびソケット２２ｂを囲む。内壁３１は、光源モジュール２２を囲むように円周状に設けられる。外壁３２は、内壁３１の外側に設けられる。外壁３２は内壁３１を囲む。外壁３２はリフレクタ３０の外縁を形成する。
【００２７】
内壁３１と外壁３２は、ヒートシンク２１に対して発光基板２２ａが設けられた側に延びる。リフレクタ３０は、内壁３１と外壁３２を繋ぐ底部３３を有する。底部３３は、取付面２１ａと並行に延びる。内壁３１、外壁３２および底部３３は凹部３４を形成する。凹部３４は、内壁３１と外壁３２との間に形成される。
【００２８】
無線ユニット２３は、リフレクタ３０に設けられる。無線ユニット２３は、内壁３１と外壁３２との間に設けられ、凹部３４に収納される。
【００２９】
一般に発光素子２２ｃは点灯時に発熱する。このため、無線ユニット２３が発光基板２２ａを保持するソケット２２ｂと接触すると、無線ユニット２３が熱の影響を受ける可能性がある。このため、アンテナ２３ｃの特性または無線ユニット２３の性能が変化し、安定した無線通信が実施できないおそれがある。
【００３０】
これに対し、本実施の形態によれば、無線ユニット２３は光源モジュール２２と離れている。このため、無線ユニット２３は光源モジュール２２で発生する熱の影響を直接受けない。従って、無線ユニット２３が受ける発光基板２２ａからの熱の影響を抑制できる。また、無線ユニット２３の周囲温度の上昇を抑制できる。従って、アンテナ２３ｃの特性および無線ユニット２３の性能を安定させることができ、安定した無線通信を実現できる。
【００３１】
また、無線ユニット２３と光源モジュール２２は内壁３１によって隔てられる。従って、無線ユニット２３が受ける発光基板２２ａからの熱の影響をさらに抑制できる。
【００３２】
さらに、無線ユニット２３は、リフレクタ３０の底部３３に配置される。このため、ヒートシンク２１と無線ユニット２３は底部３３に隔てられる。これにより、無線ユニット２３が受けるヒートシンク２１からの熱の影響を抑制できる。また、底部３３とヒートシンク２１の取付面２１ａとの間には隙間が設けられる。従って、無線ユニット２３が受けるヒートシンク２１からの熱の影響をさらに抑制できる。
【００３３】
また、凹部３４は正面方向に開口する。ここで正面方向は、発光素子２２ｃの光の照射方向である。このため、光源ユニット２０の正面から無線ユニット２３を設置できる。従って、組み立てを容易にできる。
【００３４】
内壁３１は、内壁３１の内側面から上方に延びる保持部３６を有する。保持部３６は、ソケット２２ｂに向かって延び、ソケット２２ｂをヒートシンク２１に押し付ける。これにより、光源モジュール２２はヒートシンク２１に固定される。このように、内壁３１は、発光基板２２ａをヒートシンク２１に固定する機能を有する。
【００３５】
光源カバー２４は、内壁３１に取り付けられ固定される。また、反射板４０は、外壁３２に取り付けられ、光源カバー２４の下に設けられる。反射板４０は、光源カバー２４に対して発光基板２２ａと反対側に設けられる。
【００３６】
照明器具１００は、天井５０の開口部５１に取り付けられる。本実施の形態では、反射板４０の筒状の側面が天井５０の開口部５１に嵌め込まれる。照明器具１００のうち反射板４０は天井５０から露出する。また、ヒートシンク２１および点灯装置１０は天井５０の裏側に設けられる。
【００３７】
本実施の形態では、無線ユニット２３はリフレクタ３０に収納されるため、天井５０の開口部５１付近に配置される。無線ユニット２３は、床面方向から見て天井５０の開口部５１と重なる位置に配置される。床面側は照明器具１００の照射面側である。本実施の形態では、天井５０に対して床面側の空間と、無線ユニット２３とは、天井５０によって隔てられない。無線ユニット２３と床面側の空間とは、反射板４０のみによって隔てられる。これにより、床面側におけるアンテナの放射特性を向上できる。従って、無線通信を安定して実施できる。
【００３８】
図５は、実施の形態１に係る光源ユニット２０の平面図である。無線ユニット２３の基板２３ａは、凹部３４に沿った形状を有する。リフレクタ３０には開口部３５が形成される。開口部３５は底部３３に形成される。開口部３５は、リフレクタ３０をヒートシンク２１に固定すると、電線通過孔２１ｂと重なる。信号線２３ｂは、開口部３５と電線通過孔２１ｂを通って点灯装置１０と接続される。
【００３９】
この構成によれば、無線ユニット２３が凹部３４に収納された状態でも、無線ユニット２３と点灯装置１０とを容易に接続できる。また、配線の引き回しを簡易にできる。また、開口部３５と電線通過孔２１ｂとが重なることで、無線ユニット２３の信号線２３ｂを短くできる。従って、光源モジュール２２または点灯装置１０からのノイズによる無線通信への影響を抑制できる。
【００４０】
図６は、実施の形態１の変形例に係る光源ユニット１２０の平面図である。光源ユニット１２０は、開口部３５から突出したコネクタ１３７を備える。コネクタ１３７は、リフレクタ１３０の無線ユニット２３が設けられた側に突出する。コネクタ１３７は、点灯装置１０と接続された制御信号線と接続される。また、信号線２３ｂはコネクタ１３７と接続される。
【００４１】
これにより、無線ユニット２３と点灯装置１０の接続を容易に実施できる。従って、無線ユニット２３を照明器具１００に着脱自在に取り付けることができる。このため、ユーザの使用用途によって、無線ユニット２３を自由に選択できる。また、無線通信による点灯装置１０の制御を実施しない場合には、無線ユニット２３を接続しないことができる。
【００４２】
本実施の形態の変形例として、リフレクタ３０の内壁３１、外壁３２および底部３３の全てまたは一部に非熱伝導シートを貼りつけても良い。非熱伝導シートは、熱伝導率の低い材料から形成される。非熱伝導シートには、例えば３Ｍ（登録商標）製遮熱テープ８９７８が使用できる。また、内壁３１、外壁３２および底部３３の全てまたは一部に熱抵抗が高い材料を使用しても良い。リフレクタ３０全体が、熱抵抗が高い材料から形成されても良い。これにより、無線ユニット２３の周囲温度をさらに抑制できる。リフレクタ３０、内壁３１、外壁３２または底部３３は、ソケット２２ｂよりも熱抵抗が高い材料から形成されるものとしても良い。リフレクタ３０は例えば樹脂材から形成される。樹脂材は、ポリカーボネート、ＡＢＳ（Ａｃｒｙｌｏｎｉｔｒｉｌｅ  Ｂｕｔａｄｉｅｎｅ  Ｓｔｙｒｅｎｅ）等である。
【００４３】
また、リフレクタ３０は外壁３２を有さなくても良い。これにより、無線ユニット２３がリフレクタ３０に囲まれて熱的に遮蔽されることを防止できる。従って、無線ユニット２３の温度を抑制できる。この場合、内壁３１と底部３３のみで無線ユニット２３を囲む。このように、無線ユニット２３は凹部３４に限らず、リフレクタ３０のうち内壁３１の外側の部分に設けられれば良い。
【００４４】
また、凹部３４は、取付面２１ａと垂直な方向に対して傾いた方向に開口していても良い。また、凹部３４は、取付面２１ａに沿った方向において、外側に向かって開口していても良い。この場合、無線ユニット２３は側方から挿し込むように凹部３４に取り付けられる。
【００４５】
また、本実施の形態のリフレクタ３０は、無線ユニット２３を保持し、光源モジュール２２をヒートシンク２１に固定する。これに限らず、リフレクタ３０は無線ユニット２３を保持する機能のみを備えても良い。この場合、別途、光源モジュール２２を固定する部材を設けても良い。
【００４６】
また、リフレクタ３０による遮蔽がなくても無線ユニット２３への熱の影響を十分に抑制できるという場合には、リフレクタ３０は設けられなくても良い。この場合、無線ユニット２３は、ヒートシンク２１の取付面２１ａにおいて、ソケット２２ｂよりも外側に設けられる。この場合も、無線ユニット２３が光源モジュール２２と離れて設けられることで、無線ユニット２３が光源モジュール２２から受ける熱の影響を抑制できる。
【００４７】
また、本実施の形態では照明器具１００は天井５０に取り付けられるものとした。照明器具１００の被取付部はこれに限らず、壁等であっても良い。
【００４８】
なお、本実施の形態で説明した技術的特徴は適宜に組み合わせて用いてもよい。
【符号の説明】
【００４９】
１０  点灯装置、２０  光源ユニット、２１  ヒートシンク、２１ａ  取付面、２１ｂ  電線通過孔、２１ｃ  フィン、２２  光源モジュール、２２ａ  発光基板、２２ｂ  ソケット、２２ｃ  発光素子、２３  無線ユニット、２３ａ  基板、２３ｂ  信号線、２３ｃ  アンテナ、２４  光源カバー、２５  取付部材、３０  リフレクタ、３１  内壁、３２  外壁、３３  底部、３４  凹部、３５  開口部、３６  保持部、４０  反射板、５０  天井、５１  開口部、１００  照明器具、１２０  光源ユニット、１３０  リフレクタ、１３７  コネクタ
【図１】
2020194669.tif 000003
【図２】
2020194669.tif 000004
【図３】
2020194669.tif 000005
【図４】
2020194669.tif 000006
【図５】
2020194669.tif 000007
【図６】
2020194669.tif 000008